(57)【要約】【課題】より効率よく体毛を剃ることのできる電気かみそり、当該電気かみそりで用いられる外刃を得る。【解決手段】電気かみそり１０の外刃４００には、外刃幅方向Ｘに延びる桟４３０によって画成されるスリット４７０が形成されている。このスリット４７０を画成する２つの桟４３０，４３０のうち少なくともいずれか一方の桟４３０には、体毛Ｈを接触させて立ち上げる立上げ部６０が形成されている。この立上げ部６０は、外刃幅方向Ｙの一端４７０ａから他端４７０ｂにかけて連続するスリット４７０の途中に形成されており、外刃幅方向Ｘから視た状態で、スリット４７０の外刃長さ方向Ｙの一端から他端にかけて存在している。【選択図】図６
2018126437.tif 000002
【特許請求の範囲】
【請求項１】
所定の長さと幅とを有し、肌に接する外刃と、
前記外刃の前記肌に接する側とは反対側に配置され、当該外刃に対して相対的に変位する内刃と、
を備え、
前記外刃には、外刃幅方向に延びる桟が、外刃長さ方向に所定間隔で複数並ぶように形成されており、
前記外刃長さ方向において互いに隣り合う２つの桟の間には、当該２つの桟によって前記外刃長さ方向の端部が画成されて体毛が導入されるスリットが形成されており、
前記２つの桟のうち少なくともいずれか一方の桟には、前記外刃を前記スリット内に導入された前記体毛に対して前記外刃幅方向に相対移動させた際に、当該体毛を接触させて立ち上げる立上げ部が形成されており、
前記立上げ部は、前記外刃幅方向の一端から他端にかけて連続して形成された前記スリットの途中に形成されており、前記外刃幅方向から視た状態で、前記スリットの前記外刃長さ方向の一端から他端にかけて存在していることを特徴とする電気かみそり。
【請求項２】
前記スリットの前記外刃長さ方向の両端部を画成する２つの桟のうちの一方の桟には、当該スリット側に突出する一方側突部が形成されており、
前記２つの桟のうちの他方の桟における前記一方側突部と対応する部位には、前記一方側突部が突出する側に凹む他方側凹部が形成されており、
前記立上げ部は、前記一方側突部によって構成された第１立上げ部を有することを特徴とする請求項１に記載の電気かみそり。
【請求項３】
前記スリットの前記外刃長さ方向の両端部を画成する２つの桟のうちの一方の桟には、当該スリット側に突出する一方側突部が形成されており、
前記２つの桟のうちの他方の桟における前記一方側突部と対応する部位には、前記一方側突部が突出する側に凹む他方側凹部が形成されており、
前記立上げ部は、前記一方側突部および前記他方側凹部によって構成された第２立上げ部を有することを特徴とする請求項１または請求項２に記載の電気かみそり。
【請求項４】
前記スリットの前記外刃長さ方向の両端部を画成する２つの桟のうちの一方の桟には、当該スリット側に突出する一方側突部が形成されており、
前記２つの桟のうちの他方の桟における前記一方側突部とは前記外刃幅方向に離間した部位には、前記スリット側に突出する他方側突部が形成されており、
前記立上げ部は、前記一方側突部および前記他方側突部によって構成された第３立上げ部を有することを特徴とする請求項１〜３のうちいずれか１項に記載の電気かみそり。
【請求項５】
前記立上げ部が前記外刃幅方向に沿って複数形成されていることを特徴とする請求項１〜４のうちいずれか１項に記載の電気かみそり。
【請求項６】
請求項１〜５のうちいずれか１項に記載の電気かみそりで用いられる外刃。
【発明の詳細な説明】
【技術分野】
【０００１】
本発明は、電気かみそり、当該電気かみそりで用いられる外刃に関する。
【背景技術】
【０００２】
従来、電気かみそりとして、本体部に保持される外刃と、外刃の内側に、当該外刃に対して相対移動可能に配置される内刃と、を備えるものが知られている（例えば、特許文献１参照）。
【０００３】
この特許文献１では、剃り方向に細長いスリットを有するスリット外刃を設けることで、比較的長い体毛を効率よく剃ることができるようにしている。
【０００４】
さらに、スリット間に配置される桟の形状を、直線桟部同士を途中の屈曲桟部で連結させた形状とすることで、スリット外刃を剃り方向から視た際に、スリットが存在する範囲が広くなるようにしている。こうすることで、スリット外刃を肌に当接させて剃り方向に滑らせた際にスリットと対向する肌の領域を増大させることができ、体毛を効率よく剃れるようにしている。
【先行技術文献】
【特許文献】
【０００５】
【特許文献１】特許第４１４０５５８号公報
【発明の概要】
【発明が解決しようとする課題】
【０００６】
上記従来の技術でも、効率よく体毛を剃ることができるが、より効率よく体毛を剃れるようにするのが好ましい。
【０００７】
本発明は、上記従来の課題を解決するもので、より効率よく体毛を剃ることのできる電気かみそり、当該電気かみそりで用いられる外刃を提供することを目的とする。
【課題を解決するための手段】
【０００８】
上記目的を達成するために、本発明の電気かみそりは、所定の長さと幅とを有し、肌に接する外刃と、前記外刃の前記肌に接する側とは反対側に配置され、当該外刃に対して相対的に変位する内刃と、を備えている。
【０００９】
また、前記外刃には、外刃幅方向に延びる桟が、外刃長さ方向に所定間隔で複数並ぶように形成されている。
【００１０】
また、前記外刃長さ方向において互いに隣り合う２つの桟の間には、当該２つの桟によって前記外刃長さ方向の端部が画成されて体毛が導入されるスリットが形成されている。
【００１１】
さらに、前記２つの桟のうち少なくともいずれか一方の桟には、前記外刃を前記スリット内に導入された前記体毛に対して前記外刃幅方向に相対移動させた際に、当該体毛を接触させて立ち上げる立上げ部が形成されている。
【００１２】
そして、前記立上げ部は、前記外刃幅方向の一端から他端にかけて連続して形成された前記スリットの途中に形成されており、前記外刃幅方向から視た状態で、前記スリットの前記外刃長さ方向の一端から他端にかけて存在している。
【００１３】
また、本発明の外刃は、前記電気かみそりで用いられるものである。
【発明の効果】
【００１４】
本発明によれば、より効率的に体毛を剃ることのできる電気かみそり、当該電気かみそりで用いられる外刃を得ることができる。
【図面の簡単な説明】
【００１５】
【図１】本発明の実施の形態にかかる電気かみそりを示す正面図である。
【図２】本発明の実施の形態にかかる電気かみそりを示す正面図であって、外刃ブロックを取り外すとともに、当該外刃ブロックを外刃カセットと外刃保持部材とに分解した状態を示す正面図である。
【図３】本発明の実施の形態にかかる電気かみそりの外刃を示す平面図である。
【図４】本発明の実施の形態にかかるスリット外刃およびスリット内刃を拡大して示す断面図である。
【図５】本発明の実施の形態にかかるスリット外刃を示す平面図である。
【図６】本発明の実施の形態にかかるスリット外刃のスリット部分を拡大して示す図であって、（ａ）は、図５のＡ部を拡大して示す平面図、（ｂ）は、図５のＡ部を一部破断して示す斜視図、（ｃ）は、図６（ａ）のＢ−Ｂ断面図である。
【図７】本発明の実施の形態の第１変形例にかかるスリット外刃を示す平面図である。
【図８】本発明の実施の形態の第１変形例にかかるスリット外刃のスリット部分を拡大して示す図であって、（ａ）は、図７のＣ部を拡大して示す平面図、（ｂ）は、図７のＣ部を一部破断して示す斜視図、（ｃ）は、図７（ａ）のＤ−Ｄ断面図である。
【図９】本発明の実施の形態の第２変形例にかかるスリット外刃を示す平面図である。
【図１０】本発明の実施の形態の第２変形例にかかるスリット外刃のスリット部分を拡大して示す図であって、（ａ）は、図９のＥ部を拡大して示す平面図、（ｂ）は、図９のＥ部を一部破断して示す斜視図、（ｃ）は、図９（ａ）のＦ−Ｆ断面図である。
【図１１】本発明の実施の形態にかかるスリット外刃に起毛部を設けた状態を示す断面図である。
【発明を実施するための形態】
【００１６】
本発明の実施の形態にかかる電気かみそりは、所定の長さと幅とを有し、肌に接する外刃と、前記外刃の前記肌に接する側とは反対側に配置され、当該外刃に対して相対的に変位する内刃と、を備えている。
【００１７】
また、前記外刃には、外刃幅方向に延びる桟が、外刃長さ方向に所定間隔で複数並ぶように形成されている。
【００１８】
また、前記外刃長さ方向において互いに隣り合う２つの桟の間には、当該２つの桟によって前記外刃長さ方向の端部が画成されて体毛が導入されるスリットが形成されている。
【００１９】
さらに、前記２つの桟のうち少なくともいずれか一方の桟には、前記外刃を前記スリット内に導入された前記体毛に対して前記外刃幅方向に相対移動させた際に、当該体毛を接触させて立ち上げる立上げ部が形成されている。
【００２０】
そして、前記立上げ部は、前記外刃幅方向の一端から他端にかけて連続して形成された前記スリットの途中に形成されており、前記外刃幅方向から視た状態で、前記スリットの前記外刃長さ方向の一端から他端にかけて存在している。
【００２１】
こうすれば、寝ている体毛をスリットに導入した状態で外刃を外刃幅方向に移動させた際に、寝ている体毛を立上げ部に当接させて立ち上げる（起毛させる）ことができる。すなわち、寝ている体毛を起毛させて、内刃と外刃との接触面（摺動面：内刃と外刃とで体毛を切断する部位）よりも内刃側に導入させることができる。その結果、より効率的に体毛を剃ることができる。
【００２２】
このとき、前記スリットの前記外刃長さ方向の両端部を画成する２つの桟のうちの一方の桟に、当該スリット側に突出する一方側突部を形成し、前記２つの桟のうちの他方の桟における前記一方側突部と対応する部位に、前記一方側突部が突出する側に凹む他方側凹部を形成し、前記立上げ部が、前記一方側突部によって構成された第１立上げ部を有する構成とすることができる。
【００２３】
また、前記立上げ部が、前記一方側突部および前記他方側凹部によって構成された第２立上げ部を有する構成とすることもできる。
【００２４】
また、前記スリットの前記外刃長さ方向の両端部を画成する２つの桟のうちの一方の桟に、当該スリット側に突出する一方側突部を形成し、前記２つの桟のうちの他方の桟における前記一方側突部とは前記外刃幅方向に離間した部位に、前記スリット側に突出する他方側突部を形成し、前記立上げ部が、前記一方側突部および前記他方側突部によって構成された第３立上げ部を有する構成とすることもできる。
【００２５】
こうすれば、より効率的に体毛を剃ることのできる外刃の構成をより簡素化することができる。
【００２６】
また、前記立上げ部を前記外刃幅方向に沿って複数形成した構成とすることもできる。
【００２７】
こうすれば、寝ている体毛をスリットに導入した状態で外刃を外刃幅方向に移動させた際に、寝ている体毛を立ち上げる機会を増大させることができるため、より一層効率的に体毛を剃ることができる。
【００２８】
また、外刃は、前記電気かみそりに用いられるものである。
【００２９】
このような外刃を用いることで、より効率的に体毛を剃ることが可能となる。
【００３０】
以下、本発明の実施の形態について、図面を参照しながら説明する。なお、この実施の形態によって本発明が限定されるものではない。
【００３１】
また、以下では、複数の外刃が並設される方向を前後方向（剃り方向）Ｘ、各外刃が延在する方向を左右方向Ｙ、外刃が上方を向くように外刃ブロック（ヘッド部）を配置した状態における上下方向を上下方向Ｚとして説明する。また、電気かみそりのスイッチ部が設けられている側を前後方向Ｘの前方として説明する。
【００３２】
また、スリット外刃の方向についても、上記前後方向Ｘ、左右方向Ｙおよび上下方向Ｚを用いて説明する。すなわち、スリット外刃をヘッド部本体に取り付けた状態において、外刃ブロックの前後方向Ｘ、左右方向Ｙおよび上下方向Ｚに一致する方向を、それぞれスリット外刃の前後方向Ｘ、左右方向Ｙおよび上下方向Ｚと規定する。
【００３３】
（実施の形態）
本実施の形態にかかる電気かみそり１０は、図１に示すように、手で把持するグリップ部２０と、グリップ部２０に支持されるヘッド部３０と、を備えている。
【００３４】
グリップ部２０には、電気かみそり１０を動作させる（電源をオン・オフさせる）押圧式のスイッチ部２１が形成されている。なお、本実施の形態では、スイッチ部として押圧式のスイッチ部２１を例示しているが、電源をオン・オフできるスイッチであればスライド式やその他のスイッチであってもよい。
【００３５】
本実施の形態では、スイッチ部２１は、グリップ部２０の前面、すなわち、電気かみそり１０の前面（正面）に形成されている。なお、電気かみそり１０の前面とは、通常の使用時に、使用者が電気かみそり１０のグリップ部２０を把持した状態で、使用者と対向する側の面のことである。
【００３６】
さらに、本実施の形態では、グリップ部２０におけるスイッチ部２１の下部に、グリップ部２０の内部に内蔵される充電池（図示せず）の充電状況等を表示する表示部２２が形成されている。
【００３７】
なお、グリップ部２０の後部（電気かみそり１０の後部）に、トリマーユニットを設けることも可能である。
【００３８】
ヘッド部３０は、図１および図２に示すように、グリップ部２０に取り付けられるヘッド部本体３１と、当該ヘッド部本体３１に着脱自在に装着される外刃ブロック３２と、を備えている。本実施の形態では、ヘッド部本体３１の左右両端に突没自在に設けられた解除ボタン３１ａを内側に没入させることで、外刃ブロック３２とヘッド部本体３１との装着が解除されるようになっている。
【００３９】
ヘッド部本体３１内には、図示せぬ駆動機構が収容されている。この駆動機構としては、例えば、振動型リニアアクチュエータや、回転モータと回転運動を往復直線運動に変換する変換機構とで構成される駆動機構等、従来公知のものを用いることができる。
【００４０】
一方、外刃ブロック３２は、図２に示すように、外刃４０が上下動自在（フロート自在）に取り付けられる略筒状の外刃保持部材３２ａと、外刃４０を上下動自在に支持する箱型の外刃カセット３２ｂと、を備えている。そして、この外刃カセット３２ｂを外刃保持部材３２ａに装着させることで、外刃４０が外刃保持部材３２ａに上下動自在に取り付けられるようにしている。
【００４１】
このとき、外刃４０は、図１および図３に示すように、ヘッド部３０の上方に向けて露出するように配置されている。そして、外刃４０のヘッド部３０の上方に向けて露出する部分が、使用者の肌（肌表面）Ｓに当接する肌当接面（表面）４０ａとなっている。なお、本実施の形態では、外刃カセット３２ｂは、外刃保持部材３２ａに着脱自在に装着されるだけでなく、ヘッド部本体３１にも着脱自在に装着されている。
【００４２】
ここで、外刃カセット３２ｂには、前後方向Ｘに並設された複数の外刃４０が支持されている（図３参照）。
【００４３】
具体的には、外刃４０は、スリット外刃４００と、４つのネット外刃４０１と、を備えており、２つのネット外刃４０１、スリット外刃４００、２つのネット外刃４０１が前後方向Ｘに並ぶように配置されている。
【００４４】
したがって、外刃カセット３２ｂを外刃保持部材３２ａに装着させた際には、外刃保持部材３２ａに、前後方向Ｘの前方から順に２つのネット外刃４０１、スリット外刃４００、２つのネット外刃４０１が、上方に向けて露出するように配置されることとなる。
【００４５】
なお、図３に示す外刃の種類、枚数、並び方は、あくまで一例であり、外刃の種類、枚数、並び方等の組み合わせについては適宜変更できることはいうまでもない。
【００４６】
４つのネット外刃４０１は、いずれも、側面視（左右方向Ｙに外刃を視た状態）で上方が凸となるように前後方向Ｘに沿って逆Ｕ字状に湾曲して形成されている。さらに、各ネット外刃４０１は、正面視（前後方向Ｘに外刃を視た状態）で上方が凸となるように左右方向（外刃長さ方向）Ｙに沿って若干湾曲して形成されている。なお、本実施の形態では、ネット外刃４０１を、正面視で上方が凸となるように湾曲させているが、必ずしも湾曲させる必要はない。
【００４７】
そして、各ネット外刃４０１には、例えば、円形の刃穴（図示せず）が多数形成されている。
【００４８】
一方、スリット外刃４００は、ネット外刃４０１で剃りにくい長く伸びた体毛Ｈを剃るために設けられるものであり、前後方向Ｘに沿って略コ字状に湾曲した形成をしている。このようなスリット外刃４００は、例えば、一枚の金属平板材を用いて形成することができる。
【００４９】
本実施の形態では、スリット外刃４００は、前後方向Ｘに幅狭となるとともに、左右方向Ｙに長尺となるように配置されており、肌Ｓ側に凸となる断面略逆Ｕ字状をしている。このように、本実施の形態では、肌（肌表面）Ｓに接するスリット外刃４００が所定の長さと幅を有しており、このスリット外刃４００は、外刃長さ方向を電気かみそり１０の左右方向Ｙと略一致させるとともに、外刃幅方向を電気かみそり１０の前後方向Ｘと略一致させた状態で配置されている。
【００５０】
そして、このスリット外刃４００は、肌（肌表面）Ｓに対向する平坦な天壁４１０と、天壁４１０の前後方向（外刃幅方向）Ｘの両端部に連設されて、スリット内刃５００側（肌Ｓから離れる方向）に延在し、前後方向Ｘで対向する一対の側壁４２０，４２０と、を備えている。
【００５１】
また、スリット（外刃４０の刃穴）４７０を、平坦な天壁４１０から側壁４２０に至るまで穿設することで、スリット外刃４００を形成している。すなわち、スリット４７０は、スリット外刃４００における前後方向Ｘの一方の側壁４２０から他方の側壁４２０にかけて延在するように形成されている。
【００５２】
このように、本実施の形態では、スリット４７０は、細長のスリット状をしており、長さと幅を有している。そして、スリット４７０は、当該スリット４７０の長さ方向（スリット長さ方向）が、スリット外刃４００の幅方向（外刃幅方向）と略一致するように形成されている。
【００５３】
したがって、スリット４７０は、長さ方向（スリット長さ方向）が電気かみそり１０の前後方向Ｘと略一致するとともに、幅方向（スリット幅方向）が電気かみそり１０の左右方向Ｙと略一致した状態で形成されている。
【００５４】
そして、本実施の形態では、スリット４７０は、左右方向（外刃長さ方向：スリット幅方向）Ｙに所定のピッチ（所定間隔）で略等間隔に並ぶように複数形成されており、隣り合うスリット４７０の間には、前後方向Ｘに延在する桟４３０が、スリット４７０に沿うように形成されている。すなわち、スリット外刃４００には、前後方向（外刃幅方向）Ｘに延びる桟４３０が、左右方向（外刃長さ方向）Ｙに所定のピッチ（所定間隔）で略等間隔に並ぶように複数形成されており、各スリット４７０は、左右方向（外刃長さ方向）Ｙの両側に位置する２つの桟４３０によって、左右方向（外刃長さ方向）Ｙの端部が画成されている。
【００５５】
この桟４３０も、長さと幅を有しており、長さ方向（スリット長さ方向）が電気かみそり１０の前後方向Ｘと略一致するとともに、幅方向（スリット幅方向）が電気かみそり１０の左右方向Ｙと略一致した状態で形成されている。また、各桟４３０は、平坦な天壁４１０から側壁４２０に至るまで延在しており、略コ字状をしている。
【００５６】
さらに、本実施の形態では、スリット４７０は、前後方向（外刃幅方向：スリット長さ方向）Ｘの両端４７０ａ，４７０ｂが、側壁４２０に形成されている。このように、スリット４７０の前後方向（外刃幅方向：スリット長さ方向）Ｘの両端４７０ａ，４７０ｂを側壁４２０に形成することで、スリット４７０を上方だけでなく両側方にも開口させている。こうすれば、各スリット４７０がスリット外刃４００の前後方向Ｘの一端から他端まで途中で分断されることなく形成されるため、比較的長い体毛Ｈであっても、スリット４７０内により容易に導入させることができる。また、体毛Ｈが桟４３０に引っ掛かったりして体毛Ｈによる抵抗（摩擦力等）が大きくなってしまうことが抑制されるため、剃り心地が悪化してしまうのを抑制することもできる。
【００５７】
また、内刃５０は、外刃４０を成す各ネット外刃４０１およびスリット外刃４００に対して専用のものが設置されている。
【００５８】
具体的には、各ネット外刃４０１の内方（各ネット外刃４０１の下側：外刃４０の肌Ｓに接する側とは反対側）に、対応するネット外刃４０１の湾曲形状に沿う逆Ｕ字状の内刃（ネット外刃用の内刃５０１）が配設されている（図２参照）。
【００５９】
一方、スリット外刃４００の内方（スリット外刃４００の下側：外刃４０の肌Ｓに接する側とは反対側）には、このスリット外刃４００の湾曲に沿う略コ字状のスリット内刃５００が配設されている（図４参照）。このスリット内刃５００も、一枚の金属平板材を用いて形成することができる。
【００６０】
スリット内刃５００は、前後方向Ｘに幅狭となるとともに、左右方向Ｙに長尺となるように配置されており、上側（肌Ｓ側）に凸となる断面略逆Ｕ字状をしている。したがって、このスリット内刃５００も、所定の長さと幅を有しており、内刃長さ方向を電気かみそり１０の左右方向Ｙと略一致させるとともに、内刃幅方向を電気かみそり１０の前後方向Ｘと略一致させた状態で配置されている。また、スリット内刃５００は、スリット外刃４００よりも一回り小さくなるように形成されている。
【００６１】
スリット内刃５００は、図４に示すように、外面（スリット外刃４００に摺接可能な摺接面）５００ａが形成される平坦な天壁５１０と、天壁５１０の前後方向（内刃幅方向）Ｘの両端部に連設されて下方（肌Ｓから離れる方向）に延在し、前後方向Ｘで対向する一対の側壁５２０，５２０と、を備えている。
【００６２】
そして、スリット５７０を平坦な天壁５１０から側壁５２０に至るまで穿設することで、スリット内刃５００を形成している。すなわち、スリット５７０は、スリット内刃５００における前後方向Ｘの一方の側壁５２０から他方の側壁５２０にかけて延在するように形成されている。
【００６３】
このように、本実施の形態では、スリット５７０も、細長のスリット状をしており、長さと幅を有している。そして、スリット５７０は、当該スリット５７０の長さ方向（スリット長さ方向）が、スリット内刃５００（内刃５０）の幅方向（内刃幅方向）と略一致するように形成されている。
【００６４】
したがって、スリット５７０は、長さ方向（スリット長さ方向）が電気かみそり１０の前後方向Ｘと略一致するとともに、幅方向（スリット幅方向）が電気かみそり１０の左右方向Ｙと略一致した状態で形成されている。
【００６５】
そして、本実施の形態では、スリット５７０は、左右方向（内刃長さ方向：スリット幅方向）Ｙに所定のピッチ（所定間隔）で略等間隔に並ぶように複数形成されており、隣り合うスリット５７０の間には、前後方向Ｘに延在する桟５３０が、スリット５７０に沿うように形成されている。すなわち、スリット内刃５００には、前後方向（外刃幅方向）Ｘに延びる桟５３０が、左右方向（外刃長さ方向）Ｙに所定のピッチ（所定間隔）で略等間隔に並ぶように複数形成されており、各スリット５７０は、左右方向（外刃長さ方向）Ｙの両側に位置する２つの桟５３０によって、左右方向（外刃長さ方向）Ｙの端部が画成されている。
【００６６】
この桟５３０も、長さと幅を有しており、長さ方向（スリット長さ方向）が電気かみそり１０の前後方向Ｘと略一致するとともに、幅方向（スリット幅方向）が電気かみそり１０の左右方向Ｙと略一致した状態で形成されている。また、各桟５３０は、平坦な天壁５１０から側壁５２０に至るまで延在しており、略コ字状をしている。
【００６７】
なお、本実施の形態では、スリット５７０の方がスリット４７０よりもピッチ間隔が広くなっている。そして、スリット５７０も、前後方向（内刃幅方向：スリット長さ方向）Ｘの両端が側壁５２０にそれぞれ形成されている。このように、本実施の形態では、スリット５７０の前後方向（内刃幅方向：スリット長さ方向）Ｘの両端を側壁５２０に形成することで、スリット４７０の側方から導入される体毛Ｈの側壁５２０への干渉を抑制している。
【００６８】
これらの内刃５０は、ヘッド部本体３１内に収容された図示せぬ駆動機構に取り付けられており、駆動機構を駆動させると、各内刃５０がそれぞれ左右方向（内刃長さ方向：スリット幅方向）Ｙに往復動するようになっている。
【００６９】
そして、ネット外刃用の内刃５０１およびスリット内刃５００は、駆動機構に別個独立して上下動できるように取り付けられており、各内刃５０は、対応する外刃４０の下側に、左右方向（内刃長さ方向：スリット幅方向）Ｙに往復動する際に外刃４０の内面４０ｂに摺接できるように配置されている。
【００７０】
このように、各ネット外刃４０１およびスリット外刃４００の下方（内方）に配設されたネット外刃用の内刃５０１およびスリット内刃５００を、各外刃４０に対してそれぞれ相対的に変位（相対移動：左右方向Ｙへの往復動）させることで、各外刃４０の刃穴やスリット４７０内に挿入された体毛Ｈが、各外刃４０と対応する内刃５０とで協働して切断されるようにしている。
【００７１】
なお、スリット内刃５００は、スリット外刃４００に対して往復動できるようにした状態で、外刃カセット３２ｂに装着させてもよい。すなわち、スリット外刃４００とスリット内刃５００とでスリット刃ユニットを構成してもよい。
【００７２】
このとき、スリット内刃５００の外面５００ａをスリット外刃４００の内面４００ｂに弾接させるようにするのが好ましい。こうすれば、スリット外刃４００およびスリット内刃５００の摺動面（内面４００ｂおよび外面５００ａ）において切断する体毛Ｈの良好な切れ味を確保することができる。
【００７３】
ここで、本実施の形態では、寝ている体毛Ｈがスリット外刃４００のスリット４７０内に導入された際に、当該寝ている体毛Ｈを立ち上げて効率的に剃ることができるようにしている。
【００７４】
具体的には、スリット外刃４００（外刃４０）のスリット４７０を画成する２つの桟４３０，４３０のうち少なくともいずれか一方の桟に、スリット４７０内に導入された体毛Ｈを接触させて立ち上げる立上げ部６０を形成している。
【００７５】
この立上げ部６０は、前後方向（外刃幅方向）Ｘの一端４７０ａから他端４７０ｂにかけて連続して形成されたスリット４７０の途中に形成されるものである。さらに、立上げ部６０は、前後方向（外刃幅方向）Ｘから視た状態で、スリット４７０の左右方向（外刃長さ方向）Ｙの一端から他端にかけて存在するものである。
【００７６】
以下、本実施の形態にかかるスリット外刃４００の具体的な構成について、図５および図６に基づいて詳細に説明する。
【００７７】
本実施の形態では、上述したように、スリット外刃（外刃）４００における左右方向（外刃長さ方向）Ｙで隣り合う２つの桟４３０，４３０の間に、スリット４７０が形成されている。そして、このスリット４７０は、上記２つの桟４３０，４３０によって左右方向（外刃長さ方向）Ｙの端部が画成されている。
【００７８】
さらに、本実施の形態では、桟４３０が、前後方向（外刃幅方向）Ｘの中央部を左右方向（外刃長さ方向）Ｙの一側に屈曲させた形状をしている。
【００７９】
具体的には、桟４３０は、前後方向（外刃幅方向）Ｘの一側に配置され、前後方向（外刃幅方向）Ｘに沿うように延在する第１直線桟部４４０を備えている。
【００８０】
また、桟４３０は、前後方向（外刃幅方向）Ｘの他側に配置され、前後方向（外刃幅方向）Ｘに沿うように延在する第２直線桟部４５０を備えている。本実施の形態では、前後方向（外刃幅方向）Ｘから視た際に、第２直線桟部４５０の全体を第１直線桟部４４０にオーバーラップさせるとともに、第１直線桟部４４０の全体を第２直線桟部４３０にオーバーラップさせている。すなわち、前後方向（外刃幅方向）Ｘから視た際に、第１直線桟部４４０および第２直線桟部４５０が同じ位置に形成されるようにしている。
【００８１】
そして、この第１直線桟部４４０と第２直線桟部４５０とが屈曲桟部４６０で連結されている。この屈曲桟部４６０は、平面視（上下方向Ｚから視た状態）で、略Ｖ字状となるように形成されている。
【００８２】
このように、本実施の形態では、桟４３０は、前後方向（外刃幅方向）Ｘの一側に位置する第１直線桟部４４０と、前後方向（外刃幅方向）Ｘの他端側に位置する第２直線桟部４５０と、第１直線桟部４４０と第２直線桟部４５０とを連結する屈曲桟部４６０と、で構成されている。
【００８３】
この屈曲桟部４６０は、上述したように、平面視（上下方向Ｚから視た状態）で、略Ｖ字状となるように形成されている。また、屈曲桟部４６０は、前後方向（外刃幅方向）Ｘの一端が第１直線桟部４４０に連結されるとともに、他端が第２直線桟部４５０に連結されている。
【００８４】
すなわち、屈曲桟部４６０は、第１直線桟部４４０の前後方向（外刃幅方向）Ｘの他端に連結され、前後方向（外刃幅方向）Ｘの他側、かつ、左右方向（外刃長さ方向）Ｙの一側に向けて延在する第１屈曲桟部４６１を備えている。
【００８５】
さらに、屈曲桟部４６０は、第２直線桟部４４０の前後方向（外刃幅方向）Ｘの一端に連結されるとともに第１屈曲桟部４６１の前後方向（外刃幅方向）Ｘの他端に連設され、前後方向（外刃幅方向）Ｘの他側、かつ、左右方向（外刃長さ方向）Ｙの他側に向けて延在する第２屈曲桟部４６２を備えている。
【００８６】
このように、第１屈曲桟部４６１と第２屈曲桟部４６２とで屈曲桟部４６０を形成することで、屈曲桟部４６０の左右方向（外刃長さ方向）Ｙの一側には、第１直線桟部４４０や第２直線桟部４５０よりも左右方向の一側に突出する突部４６３が形成されることとなる。この突部４６３は、第１屈曲桟部４６１におけるスリット４７０の一端４７０ａに臨む側面４６１ａと、第２屈曲部４６２におけるスリット４７０の他端４７０ｂに臨む側面４６２ａとの間に形成されている。
【００８７】
また、第１屈曲桟部４６１と第２屈曲桟部４６２とで屈曲桟部４６０を形成することで、屈曲桟部４６０の左右方向（外刃長さ方向）Ｙの他側には、突部４６３側に凹む凹部４６４が形成されることとなる。この凹部４６４は、第１屈曲桟部４６１におけるスリット４７０の他端４７０ｂに臨む側面４６１ｂと、第２屈曲桟部４６２におけるスリット４７０の一端４７０ａに臨む側面４６２ｂとの間に形成されている。
【００８８】
なお、本実施の形態では、第１屈曲桟部４６１および第２屈曲桟部４６２は、左右方向（外刃長さ方向）Ｙの幅が略一定となるように形成されている。そして、この左右方向（外刃長さ方向）Ｙの幅は、第１直線桟部４４０および第２直線桟部４５０の左右方向（外刃長さ方向）Ｙの幅と略同じ幅となっている。
【００８９】
ここで、本実施の形態では、このような形状をした桟４３０が、左右方向（外刃長さ方向）Ｙに所定のピッチ（所定間隔）で略等間隔に並ぶように複数形成されている。
【００９０】
したがって、左右方向（外刃長さ方向）Ｙにおいて互いに隣り合う２つの桟４３０，４３０の間には、左右方向（外刃長さ方向）Ｙの幅が略一定となるスリット４７０が一端４７０ａから他端４７０ｂまで連続して形成されることとなる。
【００９１】
具体的には、スリット４７０は、第１直線桟部４４０によって左右方向（外刃長さ方向）Ｙの端部が画成される第１直線スリット部４７１を備えている。
【００９２】
また、スリット４７０は、第２直線桟部４５０によって左右方向（外刃長さ方向）Ｙの端部が画成される第２直線スリット部４７２を備えている。
【００９３】
そして、第１直線スリット部４７１と第２直線スリット部４７２とが、屈曲スリット部４７３によって連結されている。この屈曲スリット部４７３は、屈曲桟部４６０によって左右方向（外刃長さ方向）Ｙの端部が画成されており、平面視（上下方向Ｚから視た状態）で、略Ｖ字状となるように形成されている。
【００９４】
このように、本実施の形態では、スリット４７０は、第１直線スリット部４７１と、第２直線スリット部４７２と、第１直線スリット部４７１と第２直線スリット部４７２とを連結する屈曲スリット部４７３と、で構成されている。
【００９５】
そして、桟４３０およびスリット４７０を上述した形状とすれば、スリット４７０の左右方向（外刃長さ方向）Ｙの両端を画成する２つの桟４３０，４３０のうち一方の桟４３０（左右方向Ｙの他側の桟４３０）に、スリット４７０側に突出する突部４６３が形成されることとなる。また、スリット４７０の左右方向（外刃長さ方向）Ｙの両端を画成する２つの桟４３０，４３０のうち他方の桟４３０（左右方向Ｙの一側の桟４３０）における突部４６３と対応する部位に、突部４６３の突出方向に凹む凹部４６４が形成されることとなる。
【００９６】
このように、本実施の形態では、一方の桟４３０に形成された突部４６３が、スリット４７０側に突出する一方側突部に相当し、他方の桟４３０に形成された凹部が、一方側突部が突出する側に凹む他方側凹部に相当している。
【００９７】
なお、突部４６３および凹部４６４は、前後方向（外刃幅方向）Ｘの一端４７０ａから他端４７０ｂにかけて連続して形成されたスリット４７０の途中に形成されている。
【００９８】
さらに、本実施の形態では、前後方向（外刃幅方向）Ｘの一側および他側から視た状態で、突部４６３の第１直線スリット部４７１からの突出量および第２直線スリット部４７２からの突出量を、スリット４７０の左右方向（外刃長さ方向）Ｙの幅と同等またはそれ以上となるようにしている。なお、図５および図６には、突部４６３の突出量を、スリット４７０の左右方向（外刃長さ方向）Ｙの幅と同等となるようにしたものを例示している。
【００９９】
こうすることで、前後方向（外刃幅方向）Ｘの一側から視た状態で、第１屈曲桟部４６１の側面４６１ａがスリット４７０の左右方向（外刃長さ方向）Ｙの幅の全体とオーバーラップするように、突部４６３が形成されることとなる。
【０１００】
さらに、前後方向（外刃幅方向）Ｘの他側から視た状態で、第２屈曲桟部４６２の側面４６２ａがスリット４７０の左右方向（外刃長さ方向）Ｙの幅の全体とオーバーラップするように、突部４６３が形成されることとなる。
【０１０１】
そして、本実施の形態では、この突部４６３によって、前後方向（外刃幅方向）Ｘから視た際に、スリット４７０の左右方向（外刃長さ方向）Ｙの一端から他端にかけて存在する第１立上げ部６１を構成している。
【０１０２】
このように、図５および図６には、突部（一方側突部）４６３によって構成された第１立上げ部６１を有する立上げ部６０が形成されたスリット外刃４００を例示している。
【０１０３】
そして、スリット外刃４００を上述した構成とすることで、以下の作用、効果を奏することができる。
【０１０４】
まず、寝ている体毛Ｈが第１直線スリット部４７１内に導入された状態で、スリット外刃４００を前後方向（外刃幅方向）Ｘに移動させる。すると、寝ている体毛Ｈは、第１直線スリット部４７１から第２直線スリット部４７２に移動するまでの途中で、突部４６３０に接触する。そして、寝ている体毛Ｈは、突部４６３（立上げ部６０：第１立上げ部６１）に接触することで立ち上げられ、摺動面（内面４００ｂおよび外面５００ａ）よりもスリット内刃５００側に導入される。そして、摺動面（内面４００ｂおよび外面５００ａ）よりもスリット内刃５００側に導入された体毛Ｈが、スリット外刃４００とスリット内刃５００とで協働して切断される。
【０１０５】
このように、本実施の形態では、寝ている体毛Ｈを突部４６３（立上げ部６０：第１立上げ部６１）に接触させて立ち上げ、摺動面（内面４００ｂおよび外面５００ａ）よりもスリット内刃５００側に導入させるようにしている。こうすることで、より効率的に体毛Ｈを剃ることができるようにしている。なお、寝ている体毛Ｈを第２直線スリット部４７２内に導入させた場合も、同様の作用、効果を奏することができる。
【０１０６】
このスリット外刃４００は、図５および図６に示す形状に限られるものではなく、例えば、図７および図８に示す形状とすることもできるし、図９および図１０に示す形状とすることもできる。
【０１０７】
図７および図８に示すスリット外刃４００も、左右方向（外刃長さ方向）Ｙで隣り合う２つの桟４３０，４３０の間に、スリット４７０が形成されている。そして、このスリット４７０は、上記２つの桟４３０，４３０によって左右方向（外刃長さ方向）Ｙの端部が画成されている。
【０１０８】
さらに、図７および図８では、桟４３０が、前後方向（外刃幅方向）Ｘの中央部を左右方向（外刃長さ方向）Ｙの一側に屈曲させた形状をしている。
【０１０９】
具体的には、桟４３０は、前後方向（外刃幅方向）Ｘの一側に配置され、前後方向（外刃幅方向）Ｘに沿うように延在する第１直線桟部４４０を備えている。
【０１１０】
また、桟４３０は、前後方向（外刃幅方向）Ｘの他側に配置され、前後方向（外刃幅方向）Ｘに沿うように延在する第２直線桟部４５０を備えている。
【０１１１】
そして、この第１直線桟部４４０と第２直線桟部４５０とが屈曲桟部４６０で連結されている。この屈曲桟部４６０は、平面視（上下方向Ｚから視た状態）で、略Ｖ字状となるように形成されている。
【０１１２】
このように、図７および図８では、桟４３０は、前後方向（外刃幅方向）Ｘの一側に位置する第１直線桟部４４０と、前後方向（外刃幅方向）Ｘの他端側に位置する第２直線桟部４５０と、第１直線桟部４４０と第２直線桟部４５０とを連結する屈曲桟部４６０と、で構成されている。
【０１１３】
この屈曲桟部４６０は、上述したように、平面視（上下方向Ｚから視た状態）で、略Ｖ字状となるように形成されている。また、屈曲桟部４６０は、前後方向（外刃幅方向）Ｘの一端が第１直線桟部４４０に連結されるとともに、他端が第２直線桟部４５０に連結されている。
【０１１４】
すなわち、屈曲桟部４６０は、第１直線桟部４４０の前後方向（外刃幅方向）Ｘの他端に連結され、前後方向（外刃幅方向）Ｘの他側、かつ、左右方向（外刃長さ方向）Ｙの一側に向けて延在する第１屈曲桟部４６１を備えている。
【０１１５】
さらに、屈曲桟部４６０は、第２直線桟部４４０の前後方向（外刃幅方向）Ｘの一端に連結されるとともに第１屈曲桟部４６１の前後方向（外刃幅方向）Ｘの他端に連設され、前後方向（外刃幅方向）Ｘの他側、かつ、左右方向（外刃長さ方向）Ｙの他側に向けて延在する第２屈曲桟部４６２を備えている。
【０１１６】
このように、第１屈曲桟部４６１と第２屈曲桟部４６２とで屈曲桟部４６０を形成することで、屈曲桟部４６０の左右方向（外刃長さ方向）Ｙの一側には、第１直線桟部４４０や第２直線桟部４５０よりも左右方向の一側に突出する突部４６３が形成されることとなる。この突部４６３は、第１屈曲桟部４６１におけるスリット４７０の一端４７０ａに臨む側面４６１ａと、第２屈曲部４６２におけるスリット４７０の他端４７０ｂに臨む側面４６２ａとの間に形成されている。
【０１１７】
また、第１屈曲桟部４６１と第２屈曲桟部４６２とで屈曲桟部４６０を形成することで、屈曲桟部４６０の左右方向（外刃長さ方向）Ｙの他側には、突部４６３側に凹む凹部４６４が形成されることとなる。この凹部４６４は、第１屈曲桟部４６１におけるスリット４７０の他端４７０ｂに臨む側面４６１ｂと、第２屈曲桟部４６２におけるスリット４７０の一端４７０ａに臨む側面４６２ｂとの間に形成されている。
【０１１８】
ここで、図７および図８では、桟４３０は、第１直線桟部４４０と第２直線桟部４５０とが左右方向（外刃長さ方向）Ｙにずれた形状をしている。さらに、第１直線桟部４４０の第２直線桟部４５０に対する左右方向（外刃長さ方向）Ｙへのずれ幅を、隣り合う２つの桟４３０，４３０のピッチ（所定間隔）よりも小さくしている。すなわち、前後方向（外刃幅方向）Ｘから視た際に、第２直線桟部４５０の一部を第１直線桟部４４０にオーバーラップさせるとともに、第１直線桟部４４０の一部を第２直線桟部４３０にオーバーラップさせている。
【０１１９】
具体的には、図７および図８に示す桟４３０は、第２直線桟部４５０を、第１直線桟部４４０に対して左右方向（外刃長さ方向）Ｙの他側に１ピッチよりも小さい量（例えば、半ピッチ）ずらした形状をしている。したがって、図７および図８では、前後方向（外刃幅方向）Ｘの一側から視た状態で、第２屈曲桟部４６２の側面４６２ｂの一部（左右方向Ｙの他側）が、第１直線桟部４４０よりも左右方向Ｙの他側に位置している。すなわち、前後方向（外刃幅方向）Ｘの一側から視た状態で、第２屈曲桟部４６２の側面４６２ｂの一部（左右方向Ｙの他側）がスリット４７０に露出している。
【０１２０】
また、図７および図８では、第１屈曲桟部４６１が、前後方向（外刃幅方向）Ｘの一側から他側に向かうにつれて左右方向（外刃長さ方向）Ｙの幅が狭くなるように形成されている。そして、第２屈曲桟部４６２が、前後方向（外刃幅方向）Ｘの他側から一側に向かうにつれて左右方向（外刃長さ方向）Ｙの幅が狭くなるように形成されている。
【０１２１】
ここで、図７および図８では、このような形状をした桟４３０が、左右方向（外刃長さ方向）Ｙに所定のピッチ（所定間隔）で略等間隔に並ぶように複数形成されている。
【０１２２】
したがって、左右方向（外刃長さ方向）Ｙにおいて互いに隣り合う２つの桟４３０，４３０の間には、スリット４７０が一端４７０ａから他端４７０ｂまで連続して形成されることとなる。このスリット４７０の左右方向（外刃長さ方向）Ｙの幅は、前後方向（外刃幅方向）Ｘの中央部で大きくなっている。
【０１２３】
また、スリット４７０は、第１直線桟部４４０によって左右方向（外刃長さ方向）Ｙの端部が画成される第１直線スリット部４７１を備えている。
【０１２４】
さらに、スリット４７０は、第２直線桟部４５０によって左右方向（外刃長さ方向）Ｙの端部が画成される第２直線スリット部４７２を備えている。
【０１２５】
そして、第１直線スリット部４７１と第２直線スリット部４７２とが、屈曲スリット部４７３によって連結されている。この屈曲スリット部４７３は、屈曲桟部４６０によって左右方向（外刃長さ方向）Ｙの端部が画成されており、平面視（上下方向Ｚから視た状態）で、略Ｖ字状となるように形成されている。
【０１２６】
このように、図７および図８では、スリット４７０は、第１直線スリット部４７１と、第２直線スリット部４７２と、第１直線スリット部４７１と第２直線スリット部４７２とを連結する屈曲スリット部４７３と、で構成されている。
【０１２７】
そして、桟４３０およびスリット４７０を上述した形状とすれば、スリット４７０の左右方向（外刃長さ方向）Ｙの両端を画成する２つの桟４３０，４３０のうち一方の桟４３０（左右方向Ｙの他側の桟４３０）に、スリット４７０側に突出する突部４６３が形成されることとなる。また、スリット４７０の左右方向（外刃長さ方向）Ｙの両端を画成する２つの桟４３０，４３０のうち他方の桟４３０（左右方向Ｙの一側の桟４３０）における突部４６３と対応する部位には、突部４６３の突出方向に凹む凹部４６４が形成されることとなる。
【０１２８】
このように、図７および図８では、一方の桟４３０に形成された突部４６３が、スリット４７０側に突出する一方側突部に相当し、他方の桟４３０に形成された凹部が、一方側突部が突出する側に凹む他方側凹部に相当している。
【０１２９】
なお、突部４６３および凹部４６４は、前後方向（外刃幅方向）Ｘの一端４７０ａから他端４７０ｂにかけて連続して形成されたスリット４７０の途中に形成されている。
【０１３０】
さらに、図７および図８では、前後方向（外刃幅方向）Ｘの一側から視た状態で、突部４６３の第１直線スリット部４７１からの突出量を、スリット４７０の左右方向（外刃長さ方向）Ｙの幅よりも小さくなるようにしている。具体的には、前後方向（外刃幅方向）Ｘの一側から視た状態で、突部４６３を、第２直線桟部４５０の左右方向（外刃長さ方向）Ｙの他端と第１直線部４４０の左右方向（外刃長さ方向）Ｙの他端との間まで突出するように形成している。なお、図７および図８には、突部４６３を、第２直線桟部４５０の左右方向（外刃長さ方向）Ｙの他端まで突出させたものを例示している。
【０１３１】
そして、前後方向（外刃幅方向）Ｘの一側から視た際に、スリット４７０の左右方向（外刃長さ方向）Ｙの幅の全体が、第１屈曲桟部４６１の側面４６１ａと第２屈曲桟部４６２の側面４６２ｂの一部（左右方向Ｙの他側）とで覆われるようにしている。
【０１３２】
こうすることで、突部４６３および凹部４６４によって構成される第２立上げ部６２を形成している。この第２立上げ部６２も、前後方向（外刃幅方向）Ｘから視た際に、スリット４７０の左右方向（外刃長さ方向）Ｙの一端から他端にかけて存在するものである。
【０１３３】
このように、図７および図８には、立上げ部６０が突部（一方側突部）４６３および凹部（他方側凹部）４６４によって構成された第２立上げ部６２を有するスリット外刃４００を例示している。
【０１３４】
そして、スリット外刃４００を上述した構成とすれば、以下の作用、効果を奏することができる。
【０１３５】
まず、寝ている体毛Ｈが第１直線スリット部４７１内に導入された状態で、スリット外刃４００を前後方向（外刃幅方向）Ｘに移動させる。すると、寝ている体毛Ｈは、第１直線スリット部４７１から第２直線スリット部４７２に移動するまでの途中で、突部４６３や凹部４６４に接触する。そして、寝ている体毛Ｈは、突部４６３（立上げ部６０：第２立上げ部６２）や凹部４６４（立上げ部６０：第２立上げ部６２）に接触することで立ち上げられ、摺動面（内面４００ｂおよび外面５００ａ）よりもスリット内刃５００側に導入される。そして、摺動面（内面４００ｂおよび外面５００ａ）よりもスリット内刃５００側に導入された体毛Ｈが、スリット外刃４００とスリット内刃５００とで協働して切断される。
【０１３６】
このように、寝ている体毛Ｈを突部４６３（立上げ部６０：第２立上げ部６２）や凹部４６４（立上げ部６０：第２立上げ部６２）に接触させて立ち上げ、摺動面（内面４００ｂおよび外面５００ａ）よりもスリット内刃５００側に導入させるようにすれば、より効率的に体毛Ｈを剃ることができる。
【０１３７】
なお、図７および図８に示すスリット外刃４００では、前後方向（外刃幅方向）Ｘの他側から視た際には、スリット４７０の左右方向（外刃長さ方向）Ｙの幅の全体が、第２屈曲桟部４６２の側面４６２ａによって覆われるようにしている。
【０１３８】
したがって、寝ている体毛Ｈを第２直線スリット部４７２内に導入させた場合には、図５および図６に示すスリット外刃４００と同様の作用、効果を奏することとなる。
【０１３９】
また、図９および図１０に示すスリット外刃４００も、左右方向（外刃長さ方向）Ｙで隣り合う２つの桟４３０，４３０の間に、スリット４７０が形成されている。そして、このスリット４７０は、上記２つの桟４３０，４３０によって左右方向（外刃長さ方向）Ｙの端部が画成されている。
【０１４０】
さらに、図９および図１０では、桟４３０は、前後方向（外刃幅方向）Ｘに沿って延在する略直線状をしている。
【０１４１】
そして、図９および図１０では、このような形状をした桟４３０が、左右方向（外刃長さ方向）Ｙに所定のピッチ（所定間隔）で略等間隔に並ぶように複数形成されている。
【０１４２】
ここで、図９および図１０では、スリット４７０の左右方向（外刃長さ方向）Ｙの両端を画成する２つの桟４３０，４３０のうち一方の桟４３０（左右方向Ｙの他側の桟４３０）に、左右方向Ｙの一側（スリット４７０側）に突出する突部（一方側突部）４８１を形成している。また、スリット４７０の左右方向（外刃長さ方向）Ｙの両端を画成する２つの桟４３０，４３０のうち他方の桟４３０（左右方向Ｙの一側の桟４３０）には、左右方向Ｙの他側（スリット４７０側）に突出する突部（他方側突部）４８２を形成している。この突部（他方側突部）４８２は、左右方向（外刃長さ方向）Ｙから視た状態で、突部（一方側突部）４８１とは前後方向（外刃幅方向）Ｘに離間した位置に配置されている。
【０１４３】
また、図９および図１０では、突部（一方側突部）４８１を、左右方向（外刃長さ方向）Ｙの一側に１ピッチよりも小さい量（例えば、半ピッチ）だけ突出させている。また、突部（他方側突部）４８２を、左右方向（外刃長さ方向）Ｙの他側に１ピッチよりも小さい量（例えば、半ピッチ）だけ突出させている。
【０１４４】
こうすれば、左右方向（外刃長さ方向）Ｙにおいて互いに隣り合う２つの桟４３０，４３０の間に、左右方向（外刃長さ方向）Ｙの幅が略一定となるスリット４７０が一端４７０ａから他端４７０ｂまで連続して形成されることとなる。
【０１４５】
さらに、図９および図１０では、前後方向（外刃幅方向）Ｘから視た際に、スリット４７０の左右方向（外刃長さ方向）Ｙの幅の全体が、突部（一方側突部）４８１と突部（他方側突部）４８２とで覆われるようにしている。
【０１４６】
こうすることで、突部（一方側突部）４８１および突部（他方側突部）４８２によって構成される第３立上げ部６３を形成している。この第３立上げ部６２も、前後方向（外刃幅方向）Ｘから視た際に、スリット４７０の左右方向（外刃長さ方向）Ｙの一端から他端にかけて存在するものである。
【０１４７】
このように、図９および図１０には、立上げ部６０が突部（一方側突部）４８１および突部（他方側突部）４８２によって構成された第３立上げ部６３を有するスリット外刃４００を例示している。
【０１４８】
そして、スリット外刃４００を上述した構成とすれば、以下の作用、効果を奏することができる。
【０１４９】
まず、寝ている体毛Ｈが、スリット４７０の前後方向（外刃幅方向）Ｘの一側に導入された状態で、スリット外刃４００を前後方向（外刃幅方向）Ｘに移動させる。すると、寝ている体毛Ｈは、前後方向（外刃幅方向）Ｘの一側から他側に移動するまでの途中で、突部４８１や突部４８２に接触する。そして、寝ている体毛Ｈは、突部４８１（立上げ部６０：第３立上げ部６３）や突部４８２（立上げ部６０：第３立上げ部６３）に接触することで立ち上げられ、摺動面（内面４００ｂおよび外面５００ａ）よりもスリット内刃５００側に導入される。そして、摺動面（内面４００ｂおよび外面５００ａ）よりもスリット内刃５００側に導入された体毛Ｈが、スリット外刃４００とスリット内刃５００とで協働して切断される。
【０１５０】
このように、寝ている体毛Ｈを突部４６３（立上げ部６０：第２立上げ部６２）や凹部４６４（立上げ部６０：第２立上げ部６２）に接触させて立ち上げ、摺動面（内面４００ｂおよび外面５００ａ）よりもスリット内刃５００側に導入させるようにすれば、より効率的に体毛Ｈを剃ることができる。
【０１５１】
なお、寝ている体毛Ｈをスリット４７０の前後方向（外刃幅方向）Ｘの他側に導入させた場合も、同様の作用、効果を奏することができる。
【０１５２】
ところで、上述したスリット外刃４００においては、桟４３０は、上下方向Ｚに平行で、当該桟４３０が延在する方向に対して直交する面で切断した断面形状が略四角形状となるように形成されている（図４参照）。すなわち、桟４３０は、肌（肌表面）Ｓに接する肌当接面（外面）４３１と、当該肌当接面（外面）４３１の下側（外面の反対側）においてスリット内刃５００に面する内面４３２と、肌当接面（外面）４３１と内面４３２とをつなぐ側面４３３と、を有している。そして、桟４３０における肌当接面側端部４３４および内面側端部４３５が略直角のエッジ部（角部）となるようにしている。
【０１５３】
このように略四角形状の桟４３０を用いても、寝ている体毛Ｈを立ち上げることは可能であるが、スリット外刃４００の起毛力をより高められるようにするのが好ましい。
【０１５４】
例えば、桟４３０の断面形状（上下方向Ｚに平行で、桟４３０が延在する方向に対して直交する面で切断した断面形状）を、図１１に示す形状とすることで、スリット外刃４００の起毛力をより高めるようにすることができる。
【０１５５】
図１１に示す桟４３０は、肌（肌表面）Ｓに接する略平坦な肌当接面（外面）４３１と、当該肌当接面（外面）４３１の下側（外面の反対側）においてスリット内刃５００に面する略平坦な内面４３２と、肌当接面（外面）４３１と内面４３２とをつなぐ側面４３３と、で区画されている。さらに、図１１では、側面４３３を、下側（外面の反対側）に位置し、上下方向Ｚに延在する垂直面４３３ｂと、垂直面４３３ｂの上端に連設され、上方かつ外方（スリット４７０側）に傾斜する傾斜面４３３ａと、で構成している。
【０１５６】
このように、図１１では、桟４３０の断面形状（上下方向Ｚに平行で、桟４３０が延在する方向に対して直交する面で切断した断面形状）は、略台形状の上部に略長方形状の下部を、肌当接面（外面）４３１が内面４３２よりも長くなるように連設させた多角形状をしている。
【０１５７】
このような形状とすることで、図１１では、肌当接面側端部４３４に形成される鋭角部（エッジ部分：先端部分）４３６を起毛部４３７としている。
【０１５８】
このとき、桟４３０の下部は略長方形状をしているため、桟４３０における内面側端部４３５が略直角のエッジ部（角部）となっている。
【０１５９】
すなわち、図１１では、桟４３０の内面４３２と、桟４３０の側面４３３の一部（垂直面４３３ｂ）と、がなす角度を９０°（９０°以上）としている。
【０１６０】
このように、桟４３０を図１１に示す形状とすれば、内面側端部４３５よりも外方に突出した起毛部４３７が形成されるため、スリット外刃４００の起毛力をより高めることができる。
【０１６１】
また、図１１に示すように、桟４３０の内面側端部４３５の角度を９０°以上とすれば、内面側端部４３５が外方に突出してしまうのが抑制されるため、体毛Ｈが内面側端部４３５に突き当たってしまうのが抑制される。その結果、摺動面（内面４００ｂおよび外面５００ａ）よりもスリット内刃５００側への体毛Ｈの導入が内面側端部４３５によって邪魔されてしまうのを抑制することができる。したがって、体毛Ｈをよりスムーズに摺動面（内面４００ｂおよび外面５００ａ）よりもスリット内刃５００側へ導入させることができる。
【０１６２】
また、図１１に示す桟４３０では、起毛部４３７の縁部にＲ部４３８を形成することで、肌Ｓに与える影響を抑制できるようにしている。このとき、起毛力を発揮させつつ肌への影響を抑制できるようにするために、Ｒ部４３８の曲率半径（桟４３０を当該桟４３０の延在方向と直交する方向で切断した断面視におけるＲ部４３８の曲率半径）を２０μｍ以上６０μｍ以下とするのが好ましい。
【０１６３】
なお、図１１に示す桟４３０の断面形状は一例に過ぎず、桟４３０の断面形状は様々な形状とすることができる。
【０１６４】
また、上述したスリット外刃４００においては、立上げ部６０が１つだけ設けられた構成を例示しているが、立上げ部６０を前後方向（外刃幅方向）Ｘに沿って複数形成した構成とすることもできる。
【０１６５】
例えば、桟４３０の形状を、前後方向（外刃幅方向）Ｘの複数箇所を左右方向（外刃長さ方向）Ｙの一側に屈曲させた形状とすることで、立上げ部６０が前後方向（外刃幅方向）Ｘに沿って複数形成されるようにすることができる。
【０１６６】
また、スリット４７０を画成する２つの桟４３０，４３０のうちの一方の桟４３０に、左右方向Ｙの一側に突出する突部（一方側突部）４８１を複数形成するとともに、他方の桟４３０に、左右方向Ｙの他側に突出する突部（他方側突部）４８２を複数形成することで、立上げ部６０が前後方向（外刃幅方向）Ｘに沿って複数形成されるようにすることができる。
【０１６７】
以上説明したように、本実施の形態にかかる電気かみそり１０は、所定の長さと幅とを有し、肌Ｓに接するスリット外刃４００（外刃４０）と、スリット外刃４００（外刃４０）の肌Ｓに接する側とは反対側に配置され、当該スリット外刃４００（外刃４０）に対して相対的に変位するスリット内刃５００（内刃５０）と、を備えている。
【０１６８】
また、スリット外刃４００には、前後方向（外刃幅方向）Ｘに延びる桟４３０が、左右方向（外刃長さ方向）Ｙに所定間隔で複数並ぶように形成されている。
【０１６９】
また、左右方向（外刃長さ方向）Ｙにおいて互いに隣り合う２つの桟４３０，４３０の間には、当該２つの桟４３０，４３０によって左右方向（外刃長さ方向）Ｙの端部が画成されて体毛Ｈが導入されるスリット４７０が形成されている。
【０１７０】
さらに、２つの桟４３０，４３０のうち少なくともいずれか一方の桟４３０には、スリット外刃４００をスリット４７０内に導入された体毛Ｈに対して前後方向（外刃幅方向）Ｘに相対移動させた際に、当該体毛Ｈを接触させて立ち上げる立上げ部６０が形成されている。
【０１７１】
そして、立上げ部６０は、前後方向（外刃幅方向）Ｘの一端４７０ａから他端４７０ｂにかけて連続して形成されたスリット４７０の途中に形成されており、前後方向（外刃幅方向）Ｘから視た状態で、スリット４７０の左右方向（外刃長さ方向）Ｙの一端から他端にかけて存在している。
【０１７２】
こうすれば、寝ている体毛Ｈをスリット４７０に導入した状態でスリット外刃４００を前後方向（外刃幅方向）Ｘに移動させた際に、寝ている体毛Ｈを立上げ部６０に当接させて立ち上げる（起毛させる）ことができる。すなわち、寝ている体毛Ｈを起毛させて、スリット内刃５００とスリット外刃４００との接触面（摺動面：内刃と外刃とで体毛を切断する部位）よりもスリット内刃５００側に導入させることができる。その結果、より効率的に体毛Ｈを剃ることができる。
【０１７３】
このとき、スリット４７０の左右方向（外刃長さ方向）Ｙの両端部を画成する２つの桟４３０，４３０のうちの一方の桟４３０に、当該スリット４７０側に突出する突部（一方側突部）４６３を形成することができる。さらに、２つの桟４３０，４３０のうちの他方の桟４３０における突部（一方側突部）４６３と対応する部位に、突部（一方側突部）４６３が突出する側に凹む凹部（他方側凹部）４６４を形成することができる。
【０１７４】
そして、立上げ部６０が、突部（一方側突部）４６３によって構成された第１立上げ部６１を有する構成とすることができる。
【０１７５】
また、立上げ部６０が、突部（一方側突部）４６３および凹部（他方側凹部）４６４によって構成された第２立上げ部６２を有する構成とすることができる。
【０１７６】
また、スリット４７０の左右方向（外刃長さ方向）Ｙの両端部を画成する２つの桟４３０，４３０のうちの一方の桟４３０に、当該スリット４７０側に突出する突部（一方側突部）４８１を形成することができる。さらに、２つの桟４３０，４３０のうちの他方の桟４３０における突部（一方側突部）３８１とは前後方向（外刃幅方向）Ｘに離間した部位に、スリット４７０側に突出する突部（他方側突部）を形成することができる。そして、立上げ部６０が、突部（一方側突部）３８１および突部（他方側突部）３８２によって構成された第３立上げ部６３を有する構成とすることもできる。
【０１７７】
こうすれば、より効率的に体毛Ｈを剃ることのできるスリット外刃４００の構成をより簡素化させることができる。
【０１７８】
また、立上げ部６０を前後方向（外刃幅方向）Ｘに沿って複数形成した構成とすることもできる。
【０１７９】
こうすれば、寝ている体毛Ｈをスリット４７０に導入した状態でスリット外刃４００を前後方向（外刃幅方向）Ｘに移動させた際に、寝ている体毛Ｈを立ち上げる機会を増大させることができる。その結果、より一層効率的に体毛Ｈを剃ることができる。
【０１８０】
また、スリット外刃４００は、上記電気かみそり１０に用いられるものである。
【０１８１】
このようなスリット外刃４００を用いることで、より効率的に体毛Ｈを剃ることが可能となる。
【０１８２】
以上、本発明の好適な実施の形態について説明したが、本発明は上記実施の形態には限定されず、種々の変形が可能である。
【０１８３】
例えば、上記実施の形態では、グリップ部およびヘッド部を備える電気かみそりを例示したが、ヘッド部が設けられていない電気かみそりに本発明を適用することも可能である。
【０１８４】
また、スリット内刃およびスリット外刃を、ネット外刃、トリマー刃、ヒゲ起こしコーム、ローラー等と共働させるようにすることも可能である。
【０１８５】
また、上記実施の形態では、平面形状の異なる複数種類のスリットを例示しているが、スリットの平面形状は、これに限らず様々な形状とすることができる。また、上記実施の形態では、断面形状の異なる複数種類の桟を例示しているが、桟の断面形状も、これに限らず様々な形状とすることができる。
【０１８６】
そして、外刃は、所定の平面形状をしたスリットと、所定の断面形状をした桟とを有しており、スリットの平面形状と桟の断面形状は、任意の組み合わせとすることができる。例えば、スリットの平面形状を図６（ａ）に示す形状としつつ、桟（屈曲桟部などの立上げ部）の断面形状を図１１に示す形状とすることができる。
【０１８７】
また、外刃や内刃、その他細部のスペック（形状、大きさ、レイアウト等）も適宜に変更可能である。
【産業上の利用可能性】
【０１８８】
本発明によれば、より効率よく体毛を剃ることのできる電気かみそり、当該電気かみそりで用いられる外刃を得ることができる。
【符号の説明】
【０１８９】
１０  電気かみそり
４０  外刃
４００  スリット外刃（外刃）
４３０  桟
４６３  突部（一方側突部）
４６４  凹部（他方側凹部）
４７０  スリット
４７０ａ  一端
４７０ｂ  他端
４８１  突部（一方側突部）
４８２  突部（他方側突部）
５０  内刃
６０  立上げ部
６１  第１立上げ部
６２  第２立上げ部
６３  第３立上げ部
【図１】
2018126437.tif 000003
【図２】
2018126437.tif 000004
【図３】
2018126437.tif 000005
【図４】
2018126437.tif 000006
【図５】
2018126437.tif 000007
【図６】
2018126437.tif 000008
【図７】
2018126437.tif 000009
【図８】
2018126437.tif 000010
【図９】
2018126437.tif 000011
【図１０】
2018126437.tif 000012
【図１１】
2018126437.tif 000013